(57)【要約】【課題】装飾パネルの開口部に、銘板を、簡単な構造で精度良く且つ位置ズレを生ずることなく設けることができる銘板の取付構造を提供する。【解決手段】電子機器１の装飾パネル５Ａに形成され、装飾パネル５Ａに設ける銘板６の平面形状と相補的形状に形成された開口部７と、開口部７を覆うように装飾パネル５Ａの裏面に取り付けられ、開口部７に臨む銘板固定部１４を有する裏板８と、を備え、銘板６は、装飾パネル５Ａに取り付けた裏板８の銘板固定部１４に、少なくとも厚み方向の一部を開口部７に挿入した状態で固定されている。【選択図】図３
2008124403.tif 000002
【特許請求の範囲】
【請求項１】
電子機器の装飾パネルに形成され、前記装飾パネルに設ける銘板の平面形状と相補的形状に形成された開口部と、
前記開口部を覆うように前記装飾パネルの裏面に取り付けられた裏板と、を備え、
前記銘板は、前記装飾パネルに取り付けた前記裏板に、少なくとも厚み方向の一部を前記開口部に挿入した状態で固定されていることを特徴とする銘板の取付構造。
【請求項２】
前記裏板は、前記開口部に臨む銘板固定部を有し、
前記銘板は、前記銘板固定部に固定されていることを特徴とする請求項１に記載の銘板の取付構造。
【請求項３】
前記裏板は、前記裏板を前記開口部に位置決めするための突部を、更に有し、
前記突部は、２箇所で前記開口部の対角部位に係合していることを特徴とする請求項１に記載の銘板の取付構造。
【請求項４】
前記銘板は、両面粘着テープを介して前記裏板に固定されていることを特徴とする請求項１に記載の銘板の取付構造。
【発明の詳細な説明】
【技術分野】
【０００１】
本発明は、メーカー名のロゴやマーク或いは機種名等の銘板を、電子機器の装飾パネルに取り付ける銘板の取付構造に関するものである。
【背景技術】
【０００２】
銘板の取付構造ではないが、基本的な取付け構造が類似する操作ボタンを、装飾パネルとパネルステイとから成るフロントパネルに取り付ける取付構造が知られている（例えば、特許文献１）。
この操作ボタンの取付構造では、パネルステイの表面に操作ボタンを取り付けると共に、この操作ボタンの操作部を、装飾パネルの開口部を挿通して装飾パネルの前面から突出させるようにしている。この場合の操作ボタンのパネルステイへの取付けは、操作ボタンのホルダ部をパネルステイに突設した一対のピンに、垂設するように固定すると共に、取付けホルダの上部に形成した切欠き部を、装飾パネルをパネルステイに取り付けるためのリブ片に係止するようにしている。これにより、熱膨張等による装飾パネルとパネルステイとの位置ズレが生じても、装飾パネルのリブ片により操作ボタンの位置が規制されるため、開口部の縁端に操作ボタン（の操作部）が接触するなどの支障を生ずることがない。
【特許文献１】特開２００１−３５８４７５号公報
【発明の開示】
【発明が解決しようとする課題】
【０００３】
このような、従来の操作ボタンの取付構造では、パネルステイに固定した操作ボタンと、操作ボタンが挿通される装飾パネルの開口部と、の間での位置ズレを防止することができるものの、予め操作ボタンと開口部とを位置合わせする必要かあり、操作ボタンの組付けおよび開口部の形成に一定の精度が要求される問題があった。また、操作ボタンの位置に対しこれが係止されるリブ片の位置が制約を受け、或いはリブ片の位置に対し操作ボタンの位置が制約を受ける問題があった。
【０００４】
本発明は、装飾パネルの開口部に、銘板を、簡単な構造で精度良く且つ位置ズレを生ずることなく設けることができる銘板の取付構造を提供することをその課題としている。
【課題を解決するための手段】
【０００５】
本発明の銘板の取付構造は、電子機器の装飾パネルに形成され、装飾パネルに設ける銘板の平面形状と相補的形状に形成された開口部と、開口部を覆うように装飾パネルの裏面に取り付けられた裏板と、を備え、銘板は、装飾パネルに取り付けた裏板に、少なくとも厚み方向の一部を開口部に挿入した状態で固定されていることを特徴とする。
【０００６】
この構成によれば、開口部を覆うように装飾パネルの裏面に取り付けられた裏板に、少なくとも一部を開口部に挿入した状態で銘板を固定するようにしているため、銘板と相補的形状に形成された開口部に対し銘板を、所定の微小隙間を存して簡単且つ精度良く固定することができる。また、銘板を固定した後にあって、装飾パネルに熱膨張等が生じても、銘板と開口部との間で位置ズレが一切生ずることがない。さらに、銘板の固定は、単に装飾パネルに取り付けた裏板に固定する構造であるため、この部分の構造を極めて単純なものとすることができる。しかも、装飾パネルに形成した開口部が抜き孔であるため、開口部のエッジ（縁端）を縁だれの無いシャープなものに簡単に形成することができ、銘板の意匠性を損なうことがない。なお、裏板は、樹脂の成形品とすることが好ましく、装飾パネルの裏面に接着或いは両面粘着テープで粘着することが、好ましい。
【０００７】
この場合、裏板は、開口部に臨む銘板固定部を有し、銘板は、銘板固定部に固定されていることが、好ましい。
【０００８】
この構成によれば、裏板に設けた銘板固定部の突出寸法を適宜変更することにより、銘板の装飾パネルからの突出寸法を自在に調節することができる。なお、銘板固定部は、銘板の厚みおよび装飾パネルからの突出寸法を考慮して凸部とするが、銘板が極端に厚い場合には凹部としてもよい。
【０００９】
この場合、裏板は、裏板を開口部に位置決めするための突部を、更に有し、突部は、２箇所で開口部の対角部位に係合していることが、好ましい。
【００１０】
この構成によれば、開口部を利用して、裏板を装飾パネルに簡単に位置決めして取り付けることができる。特に、突部の２箇所を開口部の対角部位に係合するようにしているため、裏板を装飾パネルに精度良く且つ不動に位置決めすることができる。なお、突部は、開口部の対角部位に係合する一対の突起で構成することが、好ましい。
【００１１】
この場合、銘板は、両面粘着テープを介して裏板に固定されていることが、好ましい。
【００１２】
この構成によれば、銘板を銘板固定部に極めて簡単に固定することができる。また、固定作業のやり直し等も容易なものとなる。
【発明を実施するための最良の形態】
【００１３】
以下、添付の図面を参照して、本発明の銘板の取付構造を、ＡＶ機器のフロントパネルに適用した場合について説明する。このＡＶ機器は、例えば２層分の記録領域を有するスーパーオーディオＣＤ（Ｓｕｐｅｒ  Ａｕｄｉｏ  ＣＤ）を再生するＳＡＣＤプレイヤーであり、そのフロントパネルの左上に、メーカー名のロゴを刻設した銘板が取り付けられている。
【００１４】
図１および２に示すように、このＡＶ機器１は、筐体２の内部に再生装置を内蔵すると共に、筐体２の前面にディスプレイ、電源スイッチ、操作ボタン、ランプ、ＣＤの投入口等を配置したフロントパネル３を有している。フロントパネル３は、筐体２の前面に固定した横に長い方形のパネルステイ４と、パネルステイ４の前面にこれを覆うように取り付けた装飾パネル５とで構成されている。また、装飾パネル５は、左装飾パネル５Ａと右装飾パネル５Ｂとの２分割構造を有しており、この左装飾パネル５Ａの、左上に銘板６が埋め込むように取り付けられている（図１参照）。
【００１５】
図３および図４に示すように、左装飾パネル５Ａには、銘板６を見栄え良く装着するための開口部７が形成され、また裏側（後側）から開口部７に臨むように裏板８が取り付けられている。銘板６は、この開口部７に挿入するようにして裏板８に取り付けられている。左装飾パネル５Ａは、アルミ押出し成形による成形品であり、開口部７は、成形後の左装飾パネル５Ａをプレス等で打ち抜いて形成されている。このため、開口部７のエッジは縁だれのないものとなり、これに設けた銘板６は、高級感を奏するよう見栄えの良好なものになっている。この場合、開口部７は、銘板６の平面形状と相補的形状に、すなわち微小な間隙を存して銘板６をぴったり嵌め込み得るように形成されている。
【００１６】
図５に示すように、銘板６は、プレス圧印加工製で変形平行四辺形の平面形状の銘板本体６ａと、銘板本体６ａから僅かに突出したロゴ部６ｂとを有しており、銘板本体６ａとロゴ部６ｂとは、左端部がロゴ部６ｂの大文字部分に対応して上側半円形に突出し、右端部はロゴ部６ｂの小文字部分に対応してその上側半部が外側に僅かに突出している。この場合、銘板６の肉厚は左装飾パネル５Ａの肉厚の約半分となっており、前面が開口部７から僅かに突出するように裏板８に取り付けられている。そして、銘板６を裏板８に取り付ける（固定）場合には、後述する裏板８の銘板固定部１４に貼着した両面粘着テープ１１を介して、銘板６を裏板８に貼着する（図４参照）。
【００１７】
図６に示すように、裏板８は、樹脂成形品であり、方形板状の裏板本体１３と、裏板本体１３の表側（前側）中央部に形成した方形の銘板固定部１４と、銘板固定部１４の両側に配設した位置決め用の大突起１５ａおよび小突起１５ｂ（突部）と、で一体に形成されている。裏板本体１３は、上記の開口部７に対し一回り大きい平面形状に形成され、左装飾パネル５Ａの裏側から開口部７を塞ぐように取り付けられている。銘板固定部１４は、裏板本体１３から前方に突出しており、この突出寸法により、これに固定した銘板６が左装飾パネル５Ａの前面から僅かに突出する（図４参照）。すなわち、銘板固定部１４の裏板本体１３からの突出寸法により、銘板６の左装飾パネル５Ａの前面からの突出寸法が調整されるようになっている。
【００１８】
大突起１５ａおよび小突起１５ｂは、いずれも円形突起であり、大突起１５ａが上記の開口部７の左下端部に係合し、小突起１５ｂが開口部７の右上端部に係合して、裏板８が開口部７に位置決めされている。すなわち、大突起１５ａおよび小突起１５ｂは、開口部７の対角位置にそれぞれ係合している。この場合、開口部７の左下端部は鋭角部位となっており、右上端部は幅狭部位となっているため、裏板８は、開口部７に不動に位置決めされている。そして、裏板８を左装飾パネル５Ａに取り付ける（固定）場合には、大突起１５ａおよび小突起１５ｂによる位置決め状態で、左装飾パネル５Ａの開口部７廻りに貼着した両面粘着テープ１６を介して、銘板６を裏板８に貼着する（図４参照）。
【００１９】
図３および図４に示すように、銘板６を左装飾パネル５Ａに取り付ける場合には、先ず左装飾パネル５Ａの裏面に開口部７の周囲に位置して両面粘着テープ１６を貼着すると共に、裏板８の銘板固定部１４に同様に両面粘着テープ１１を貼着する。次に、大突起１５ａおよび小突起１５ｂを開口部７位置合わせするようにして裏板８を、両面粘着テープ１６を介して左装飾パネル５Ａの裏面に粘着（固定）する。続いて、銘板６を左装飾パネル５Ａの表側から開口部７に位置合せし、これを開口部７に嵌め込むようにして、銘板固定部（両面粘着テープ１１）１４に固定する。
【００２０】
以上のように、本実施形態によれば、左装飾パネル５Ａの裏面に取り付けられた裏板８に、開口部７に挿入した状態で銘板６を固定するようにしているため、銘板６を、開口部７に簡単且つ精度良く固定することができる。また、左装飾パネル５Ａに熱膨張等が生じても、銘板６と開口部７との間で位置ズレが一切生ずることがない。さらに、開口部７を、エッジに縁だれの無くシャープに形成することができ、銘板６を、立体的で高級感を奏するように取り付けることができる。
【００２１】
なお、本発明の銘板の取付構造は、ＡＶ機器のフロントパネル（装飾パネル）に限らず、各種電子機器の装飾パネルに適用することができる。
【図面の簡単な説明】
【００２２】
【図１】実施形態に係る銘板を取り付けたＡＶ機器の全体斜視図である。
【図２】ＡＶ機器のフロントパネルの分解斜視図である。
【図３】銘板の装飾パネルへの取付状態を表した分解斜視図である。
【図４】銘板の装飾銘板パネルへの取付状態を表した断面図である。
【図５】銘板の構造図である。
【図６】裏板の構造図である。
【符号の説明】
【００２３】
１  ＡＶ機器                          ５  装飾パネル
５Ａ  左装飾パネル                      ６  銘板
７  開口部                            ８  裏板
１１  両面粘着テープ                  １４  銘板固定部
１５ａ  大突起                        １５ｂ  小突起
【図１】
2008124403.tif 000003
【図２】
2008124403.tif 000004
【図３】
2008124403.tif 000005
【図４】
2008124403.tif 000006
【図５】
2008124403.tif 000007
【図６】
2008124403.tif 000008